(57)【要約】【課題】構成が簡単で配管類の布設時の作業性がよく、布設後の配管類の点検保守が容易なトラフ内配管類の支持具を提供する。【解決手段】支持具１４は、トラフ１０内に布設される配管類３０を上方から受け入れ可能な支持溝２４が複数形成された支持部１６と、この支持部１６をトラフ１０内で自立可能に支持する脚部１８とを具備し、トラフ１０の経路に沿って適当な間隔でトラフ１０内に配置される。支持部１６には支持溝２４を備えた受梁２６が上下方向に多層に形成されている。また、支持部１６と脚部１８が一体に成形されるとともに、当該支持具１４をトラフ１０内で自立させたときにトラフ底面との間に水抜き用の間隙Ｓが形成される。【選択図】  図１
2004218717.tif 000002
【特許請求の範囲】
【請求項１】
トラフ内で水平方向に布設される配管類を支持するためのトラフ内配管類の支持具であって、前記配管類を上方から受け入れ可能な支持溝が複数形成された支持部と、この支持部をトラフ内で自立可能に支持する脚部とを具備し、前記トラフの経路に沿って適当な間隔でトラフ内に配置されることを特徴とするトラフ内配管類の支持具。
【請求項２】
前記支持部には前記支持溝を備えた受梁が上下方向に多層に形成されていることを特徴とする請求項１に記載のトラフ内配管類の支持具。
【請求項３】
前記支持部と前記脚部が一体成形されるとともに、当該支持具を前記トラフ内で自立させたときにトラフ底面との間に水抜き用の間隙が形成されることを特徴とする請求項１叉は請求項２に記載のトラフ内配管類の支持具。
【発明の詳細な説明】
【０００１】
【発明の属する技術分野】
本発明は配管類の支持具に係り、特にトラフ内で水平方向に布設される配管類を支持するためのトラフ内配管類の支持具に関する。
【０００２】
【従来の技術】
ポンプ場などの各種プラント設備では、機器相互間の配管や各機器への電力ケーブル（以下、配管とケーブルを総称して配管類という）が多様な形態で布設される。このような配管類の布設の一形態として、地表面に形成したトラフ内に配管類を布設する方法が知られている。トラフは通常、コンクリート製であり、トラフ内に布設する配管類の支持方法としてはサポート方式と埋設方式が一般に採用されている。サポート方式はトラフ内のコンクリート面にアンカーを打ち込み、このアンカーに取り付けたサポート部材にＵボルト等を用いて配管類を支持する方式である。埋設方式はトラフ内に敷き詰めた砂の上に配管類を載置した後、配管類を砂で覆う方式（例えば、特許文献１参照）であり、必要に応じて複数本の配管類を多層に布設することができる。
【０００３】
しかしながら、上記サポート方式はアンカー、サポート部材、配管類の取付けの各段階で手数が掛かり、特にトラフが狭い場合には作業の困難性が増大する。また、アンカーの打ち込み時にコンクリートに亀裂が入る場合があり、その修復が大変である。埋設方式は作業性は比較的よいが、複数本の配管類を多層に布設する場合には一層毎に配管の漏洩試験などを行う必要がある。また、埋設した配管類の点検保守が困難であり、修理や更新時にはトラフ内の砂の取出しと、埋め戻しに多大な労力を必要とする。
このような、従来方式の課題を克服するために、いろいろな工夫が試みられている（例えば、特許文献２，３，４参照）。
【０００４】
【特許文献１】
特開平１０−２４５８４６号公報
【特許文献２】
特開平８−１６８１５３号公報
【特許文献３】
特開平１１−１９０４５９号公報
【特許文献４】
特開平８−１５９３３６号公報
【０００５】
【発明が解決しようとする課題】
しかしながら、特許文献２，３，４に記載された構造又は方法は、構成が複雑であるか、又はトラフを大型化したトレンチ用のものであって、内寸法が１ｍ未満の小型のトラフに対しては適していない。本発明は上記従来技術の背景のもとで創案されたものであり、本発明の目的は、構成が簡単で配管類の布設時の作業性がよく、布設後の配管類の点検保守が容易なトラフ内配管類の支持具を提供することにある。
【０００６】
【課題を解決するための手段】
前記の目的を達成するために、本発明はトラフ内で水平方向に布設される配管類を支持するためのトラフ内配管類の支持具であって、前記配管類を上方から受け入れ可能な支持溝が複数形成された支持部と、この支持部をトラフ内で自立可能に支持する脚部とを具備し、前記トラフの経路に沿って適当な間隔でトラフ内に配置されることを特徴とする。
【０００７】
また、本発明は上記のトラフ内配管類の支持具において、前記支持部には前記支持溝を備えた受梁が上下方向に多層に形成されていることを特徴とする。
また、本発明は上記のトラフ内配管類の支持具において、前記支持部と前記脚部が一体成形されるとともに、当該支持具を前記トラフ内で自立させたときにトラフ底面との間に水抜き用の間隙が形成されることを特徴とする。
【０００８】
【発明の実施の形態】
図１は本発明の第１実施形態を示す正面図であり、図２は図１のＡ−Ａ矢視図である。地表部にはコンクリート製のトラフ１０が、その上端１１をグランドレベル（Ｇ．Ｌ）とほぼ一致させて埋められている。トラフ１０の上面開口には蓋１２が配される。このトラフ１０と蓋１２とで囲われた内部が配管類を布設するためのスペースとなる。トラフ１０と蓋１２は紙面に対して直角方向に延設されて必要な配管類の経路を形成する。
【０００９】
このトラフ１０と蓋１２とで囲われた配管類の経路に本発明に係る支持具１４が配置される。支持具１４は支持部１６と脚部１８とによって構成されている。支持部１６は所定の切欠き部２０を有した一枚の金属板をコ字状に折り返して縦長にした形状であり、両下端部２２が脚部１８と接続されている。この支持部１６の幅と高さは、トラフ１０の内容積を最大限に有効に活用すべく、トラフ断面一杯の寸法とされている。脚部１８は一対の金属製の平板からなり、各平板又は両下端部２２のいずれか一方にスリットを設けて両者を嵌め込むことにより、支持部１６と脚部１８が一体化し、支持具１４は図示したように自立する。両者の嵌め込み部を溶接等によって固着すれば支持部１６と脚部１８はより一層、堅固に一体化する。なお、支持具１４をトラフ１０内で自立させたときには、トラフ底面と支持部１６の下端部２２との間に水抜き用の間隙Ｓが形成される。
【００１０】
前記支持部１６の切欠き部２０は結果として、少なくとも１個の支持溝２４を備えた受梁２６を上下方向に多層に形成する。支持溝２４は半円形であり、上方から配管類３０を受け入れ可能とされる。図示の支持具１４の場合、やや太目の配管類用の支持溝２４が上段と下段に７個、やや細目の配管類用の支持溝２４が中段に４個の合計１１個の支持溝２４が設けられている。
【００１１】
配管類の布設にあたっては、トラフ１０の上面が開放された状態で当該支持具１４をトラフの経路に沿って数ｍ置きに配置する。次いで、布設の対象となる配管類を前記切欠き部２０の上方から挿入し、所望位置の支持溝２４に載置するだけでよい。図１はやや太目の配管類が上段に１本、下段に３本、やや細目の配管類が中段に２本が既に布設され、残り５本の配管類が未施工であるか又は増設の余裕がある状態を示している。配管類の布設が一区切りした段階では図示のように、トラフ１０の上面開口を蓋１２によって塞ぐ。
【００１２】
上述のとおり、本実施形態に係る支持具１４は構造が簡単であり、安価に製作することができる。また、自立可能であるので配管類の布設にあたっては、トラフ１０の上面が開放された状態で当該支持具１４をトラフの経路に沿って単に配置すればよく、アンカーによる固定を必要としない。また、複数の配管類を切欠き部２０を介して上段から下段までスムースに出し入れでき、配管類を所望位置の支持溝２４に載置するだけでよい。このため、配管類の新設、増設、更新時の作業性がよい。また、布設後の配管類の点検保守が容易である。さらに、トラフ底面と支持部１６の下端部２２との間に水抜き用の間隙Ｓが形成されるので、トラフ内に雨水等が浸入した場合でも水捌けがよい。
【００１３】
上記実施形態では、支持具１４の材料として金属製の板を用いた場合を説明したが、本発明はこれに限らずプラスチックをモールドして製作してもよい。プラスチックを用いると軽量化、製作コストの低減、耐食性の向上を図ることができるので、ケーブルや合成樹脂配管などの比較的軽量な配管類を布設する場合に好適である。また、支持具としてコンクリートブロックを用いることもできる。コンクリートブロックは重いので、安定感がある。
【００１４】
図３は本発明の第２実施形態を示す正面図である。この実施形態はトラフが小さい場合の事例であり、トラフ１０Ａと蓋１２Ａとで囲われた内部が配管類を布設するためのスペースとされ、支持具１４Ａが配置されている。支持具１４Ａは支持部１６Ａと脚部１８Ａとによって構成されている。支持部１６は上部、水平方向に半円形の支持溝２４Ａを４個、並列に形成した一枚板であり、支持部１６の下部２２Ａが脚部１８Ａと接続されている。この支持部１６Ａの幅は、トラフ１０Ａの内容積を最大限に有効に活用すべく、トラフ幅一杯の寸法とされている。脚部１８Ａは一対の平板からなり、各平板又は下部２２Ａのいずれか一方にスリットを設けて両者を嵌め込むことにより、支持部１６Ａと脚部１８Ａが一体化し、支持具１４Ａは図示したように自立する。なお、支持具１４Ａをトラフ１０Ａ内で自立させたときには、トラフ底面と支持部１６Ａの下端部２２Ａとの間に水抜き用の間隙Ｓが形成される。
【００１５】
この第２実施形態に係る支持具１４Ａも、支持溝が多層に設けられていない点を除けば、前述の第１実施形態に係る支持具１４と同様の機能を発揮する。
図４は本発明の第３実施形態を示す斜視図である。支持具１４Ｂはプレス機で打ち抜いた一枚の金属板の一部を折り曲げ加工して、支持溝２４Ｂを備えた支持部１６Ｂと脚部１８Ｂとを一体的に成形したものであり、同一形状のものを量産する場合には安価に製作することができる。
【００１６】
図５は本発明の第４実施形態を示す斜視図である。支持具１４Ｃはプラスチックを中空状にモールドして、支持溝２４Ｃを備えた支持部１６Ｃと脚部１８Ｃとを一体的に成形したものである。この支持具１４Ｃも前述の第３実施形態に係る支持具１４Ｂと同様に、同一形状のものを量産する場合には安価に製作することができる。
【００１７】
【発明の効果】
上述のとおり、本発明に係る支持具は構造が簡単であり、安価に製作することができる。また、自立可能であるので配管類の布設にあたっては、トラフの上面が開放された状態で当該支持具をトラフの経路に沿って適当な間隔でトラフ内に単に配置すればよく、アンカーによる固定を必要としない。また、支持部には支持溝を備えた受梁が上下方向に多層に形成されているので、複数の配管類を上段から下段までスムースに出し入れでき、配管類を所望位置の支持溝に載置するだけでよい。このため、配管類の新設、増設、更新時の作業性がよい。また、布設後の配管類の点検保守が容易である。さらに、支持部と脚部が一体成形されるとともに、当該支持具を前記トラフ内で自立させたときにトラフ底面との間に水抜き用の間隙が形成されるようにした。このため、支持具を安価の製作でき、トラフ内に雨水等が浸入した場合でも水捌けがよい。
【図面の簡単な説明】
【図１】本発明の第１実施形態を示す正面図である。
【図２】図１のＡ−Ａ矢視図である。
【図３】本発明の第２実施形態を示す正面図である。
【図４】本発明の第３実施形態を示す斜視図である。
【図５】本発明の第４実施形態を示す斜視図である。
【符号の説明】
１０………トラフ、１４，１４Ａ，１４Ｂ，１４Ｃ………支持具、１６，１６Ａ，１６Ｂ，１６Ｃ………支持部、１８，１８Ａ，１８Ｂ，１８Ｃ………脚部、２４，２４Ａ，２４Ｂ，２４Ｃ………支持溝、２６………受梁、３０………配管類。
【図１】
2004218717.tif 000003
【図２】
2004218717.tif 000004
【図３】
2004218717.tif 000005
【図４】
2004218717.tif 000006
【図５】
2004218717.tif 000007